(57)【要約】【課題】配線作業時に接続機器の配線の確認作業が容易な電源ユニットを提供する。【解決手段】電源側端子部２１と負荷側端子部２２を上下に対向して設けた配線器具２をユニットケース１の前パネル１１に上下方向にして取り付けたうえ、該配線器具２の電源側端子部２１と負荷側端子部２２に接続する配線バー６を中継する夫々の接続機器４、４をユニットケース１の両側板１２、１２間に水平に設けた梁部材３の上下両面に配置する。これにより配線器具の電源側端子部からの配線は梁部材の上側に配置した接続機器に接続するとともに、配線器具の負荷側端子からの配線は梁部材の下側に配置した接続機器に接続することにより、梁部材の上側の接続機器は電源側端子部からの配線、梁部材の下側の接続機器は負荷側端子部からの配線であることが明確になり、配線作業時の確認が容易となる。【選択図】　　図１
2004146746.tif 000002
【特許請求の範囲】
【請求項１】
配線器具をユニットケースの前パネルに上下方向にして取り付けたうえ、該配線器具の電源側端子部と負荷側端子部に接続する配線を中継する夫々の接続機器をユニットケースの両側板間に水平に設けた梁部材の上下両面に配置したことを特徴とする電源ユニット。
【発明の詳細な説明】
【０００１】
【発明の属する技術分野】
本発明は、ラック内に電子機器類搭載ユニットと一緒にマウント部材に取り付けて収納する電源ユニットに関するものである。
【０００２】
【従来の技術】
従来のラック内に電子機器類搭載ユニットと一緒にマウント部材に取り付けて収納する電源ユニットは、図４に示すように、ユニットケース２０１の前パネル２０１ａに取り付けた電源側端子部２０２ａと負荷側端子部２０２ｂを対向して設けた配線器具２０２すなわちブレーカとユニットケース２０１のベース２０１ｂ上に設置した中継用の接続機器２０３に配線ケーブル２０４により接続するには、ブレーカ２０２を横方向に寝かして設置して電源側端子部２０２ａと負荷端子部２０２ｂを横方向に並列させて配線ケーブル２０４を平面的に引き回すようにしたものであった。（特許文献１参照）
【０００３】
【特許文献１】実開平６−４１１９０号公報（第２頁、図１）
【０００４】
【発明が解決しようとする課題】
ところが、前記した従来ものは、ブレーカ等の配線器具２０２を横方向に寝かして前パネル２０１ａに取り付けるとともに、接続機器２０３をユニットケース２０２の底面に配置したものであるから、接続機器２０３の端子部にはブレーカ２０２の電源側端子部２０２ａからの配線と負荷側端子部２０２ｂとが隣接し接続位置を確かめるのが煩わしいものであった。特にブレーカ２０２が複数個設けられるものでは、ブレーカ２０２の電源側端子部２０２ａからの配線と負荷側端子部２０２ｂとが交互に配置されることになり、配線作業時の確認に時間がかかるという問題点があった。
【０００５】
【課題を解決するための手段】
前記の課題を解決するためになされた本発明の電源ユニットは、配線器具をユニットケースの前パネルに上下方向にして、前記配線器具の電源側端子部と負荷側端子部に接続する配線バーを中継する夫々の接続機器をユニットケースの両側板間に水平に設けた梁部材の上下両面に配置したことを特徴とするものである。
【０００６】
前記した本発明によれば、配線器具はユニットケースの前パネルに上下方向にして取り付けたもので、該電源側端子部と負荷側端子部とに接続する夫々の接続機器はユニットケースの両側板間に水平に設けた梁部材の上下両面に配置したものであるから配線器具の電源側端子部からの配線は梁部材の上側に配置した接続機器に接続するとともに、配線器具の負荷側端子からの配線は梁部材の下側に配置した接続機器に接続することにより、梁部材の上側の接続機器は電源側端子部からの配線、梁部材の下側の接続機器は負荷側端子部からの配線であることが明確になり、配線作業時の確認が容易となるものである。さらに、接続機器はユニットケースの両側板間に水平に設けた梁部材の上下両面に配置できるため、配線器具の個数が多くなっても対応が可能なものである。
【０００７】
【発明の実施の形態】
次に、本発明の実施の形態を図１〜図３により説明する。
１はユニットケースであり、該ユニットケース１は前パネル１１の両側後部に左右の側板１２、１２を張設したうえ両側板１２、１２の後端間に背面パネル１３を設けたものである。前パネル１１には電源側端子部２１と負荷側端子部２２を上下に対向して設けた配線器具２すなわち主幹用のブレーカが上下方向にして操作部２３が前パネル１１の前面を臨むように取り付けられている。なお、配線器具２はユニットケース１の前パネル１１に上下方向に取り付けたものであれば、前記ブレーカに限らず開閉器やヒューズ等でもよいものである。
【０００８】
３は前記左右の側板１２、１２の中央間に上下方向の中央位置に水平に設けた梁部材であり、該梁部材３の上面と下面には前記配線器具２に電源側配線と負荷側配線を中継する接続機器４、４である端子台が取り付けられている。そして、配線器具２の電源側端子部２１と上面側の接続機器４の端子部４１との間及び負荷側端子部２２と下面側の接続機器４の端子部４１との間の配線はそれぞれ配線バー６により接続されている。
【０００９】
また、前記ユニットケース１には図２に一点鎖線で示すように前パネル１１には前記下面側の接続機器４と細い絶縁ケーブルにより接続した多数の分岐用ブレーカ７を配設して、これらブレーカ７対応させたコンセント８を前面パネル１１及び背面パネル１３に配設し、また、主幹ブレーカ２の一次送りとして上面側の端子台４の電源側端子部４１ａからのケーブルと接続するコンセント９を背面パネル１３に配設して電源ユニットを構成している。なお、コンセント８、９の代わりに端子台など他の機器類を配設してもよい。また、図示を略したがユニットケース１には底板と天板とが配線機器２、接続機器４などの組込み作業及びメンテナンスに配慮して取り外し可能に設けられている。
【００１０】
このように構成されたものは、図３に示すようにラック１００の垂直マウントレール１０１にユニットケース１の前パネル１１の両側に設けた取付鍔板部１１ａを係止させて、前記ラック１００内に電子機器搭載ユニット１１０と一緒にマウント部材に取り付けて収納して、背面パネル１３に配設したコンセント８に電子機器搭載ユニット１１０の電源プラグを差し込んで該電子機器搭載ユニット１１０に電源を供給するものである。
【００１１】
前記したようにラック１００内に収納した本発明の電源ユニットは、配線器具２すなわち主幹用のブレーカがユニットケース１の前パネル１１に上下方向にして取り付けたもので、電源側端子部２１と負荷側端子部２２を上下に対向しているが、該電源側端子部２１と負荷側端子部２２とに接続する夫々の接続機器４、４である端子台はユニットケース１の両側板間１２、１２に水平に設けた梁部材３の上下両面に配置したものであるから、同一形状の配線バー６を上下反転させて電源側端子部４１ａと上面の接続機器４との間に負荷側端子部４１ｂと下面の接続機器４との間に配線すればよい。このように本発明は配線器具２の電源側端子部２１からの配線バー６は梁部材３の上側に配置した接続機器４に接続するとともに、配線器具２の負荷側端子２２からの配線バー６は梁部材３の下側に配置した接続機器４に接続することにより、梁部材３の上側の接続機器４は電源側端子部２１からの配線、梁部材３の下側の接続機器４は負荷側端子部２２からの配線であることが明確になり、配線作業時の確認が容易となるものである。
【００１２】
なお、上記実施例において、配線器具２の電源側端子部２１と梁部材２の上面側に設けた接続機器４の端子部４１との間及び負荷端子部２１と梁部材２の下面側の接続機器４の端子部４１との間の配線は配線バーとしたが、ケーブルによる配線であってもよい。また、配線器具２が分岐用ブレーカを伴わず単独で複数個設置されている場合には、梁部材３の上下に接続機器４を配線器具の個数分並列して設けることにより、配線器具２が多数設けられた場合でも梁部材の上側の接続機器２は電源側端子部２１からの配線、梁部材３の下側の接続機器４は負荷側端子部２２からの配線であることが明確になり、配線作業時の確認が容易となるものである。
【００１３】
また、前記したように縦長の配線器具２すなわち主幹用のブレーカをユニットケース１の前パネル１１に上下方向にして取り付けたものであるから前パネル１１の横方向の取付スペースを広く取ることがないので、該前パネル１１に横方向の配置スペースが確保でき多数の分岐用のブレーカなどを配設することができるものである。
【００１４】
【発明の効果】
以上に説明したように、本発明の電源ユニットは、配線器具をユニットケースの前パネルに上下方向にして取り付けたものであるが、該配線器具の電源側端子部と負荷側端子部に接続する配線バーを中継する夫々の接続機器をユニットケースの両側板間に水平に設けた梁部材の上下両面に配置することにより、配線器具の電源側端子部からの配線は梁部材の上側に配置した接続機器に接続するとともに、配線器具の負荷側端子からの配線は梁部材の下側に配置した接続機器に接続することにより、梁部材の上側の接続機器は電源側端子部からの配線、梁部材の下側の接続機器は負荷側端子部からの配線であることが明確になり、配線作業時の確認が容易となるものである。さらに、接続機器はユニットケースの両側板間に水平に設けた梁部材の上下両面に配置できるため、配線器具の個数が多くなっても対応が可能なものである。
よって、本発明は従来の電源ユニットの問題点を解消したものとしてその益大なものである。
【図面の簡単な説明】
【図１】本発明の実施形態を示す側面図である。
【図２】本発明の実施形態を示す平面図である。
【図３】本発明の電源ユニットをラックに搭載した状態を示す側面図である。
【図４】従来例を示す平面図である。
【符号の説明】
１　ユニットケース
１１　前パネル
１２　側板
１３　背面パネル
２　配線器具
２１　電源側端子部
２２　負荷側端子部
３　梁部材
４　接続機器
５　配線バー
【図１】
2004146746.tif 000003
【図２】
2004146746.tif 000004
【図３】
2004146746.tif 000005
【図４】
2004146746.tif 000006